(57)【特許請求の範囲】
【請求項１】
連続して送られるシート状フィルムに熱風を吹付けてフィルムを加熱軟化し、横方向及び／又は縦方向に延伸する加熱セクションを含むテンタオーブンにおいて、
前記加熱セクションの本体内部に、ヒータで加熱された熱風を吹き出す隙間を有する複数のプレナムダクトを配し、また該プレナムダクトの隙間から吹き出され、フィルムを加熱した後の熱風を吸い込む吸込み口を加熱セクションの本体に具え、
前記吸込み口には、前記フィルムを加熱した後の熱風を前記ヒータへ回流する吸込みダクトが接続され、
前記吸込みダクトには、該吸込みダクトから分岐し、再度同吸込みダクトに合流する分岐ダクトが接続され、
前記分岐ダクトには、熱風中の揮発成分を除去する冷却用熱交換器を設け、
前記吸込みダクト及び／又は分岐ダクトには、吸込みダクトから分岐ダクトに分岐する熱風の流量を調整する分岐流量調整装置を設けたことを特徴とするテンタオーブン。
【請求項２】
請求項１記載のテンタオーブンにおいて、分岐流量調整装置は、分岐ダクトと、吸込みダクトの前記分岐ダクトが分岐した部分より下流にそれぞれ設けられたダンパであることを特徴とするテンタオーブン。
【請求項３】
請求項１記載のテンタオーブンにおいて、冷却用熱交換器は、テンタオーブンの据付床面又はその近傍に設置して、前記冷却用熱交換器の取り外し、取替え、洗浄を容易としたことを特徴とするテンタオーブン。
【請求項４】
請求項１記載のテンタオーブンにおいて、冷却用熱交換器は、熱風が通過する細長い隙間を有する複数の中空板を具え、その複数の中空板の間を該熱風の流れ方向と直角方向に冷却空気を流して熱風を冷却し、凝縮した揮発成分の液滴を集める液溜めを該冷却用熱交換器本体の底部に有することを特徴とするテンタオーブン。
【請求項５】
請求項１記載のテンタオーブンにおいて、加熱セクション本体内に、前記プレナムダクトが配される側の空間と、前記吸込み口側の空間とを仕切る多孔整流板を設けたことを特徴とするテンタオーブン。
【発明の詳細な説明】
【０００１】
【発明の属する技術分野】
本発明は、熱風をヒータ及び送風機へ回流してシート状フィルムを横方向及び／又は縦方向に延伸するテンタオーブンの熱風中の揮発成分を除去する装置に関するものである。
【０００２】
【従来の技術】
連続して水平に送られるシート状フィルムの上下から熱風を吹付けてフィルムを加熱軟化し、横方向または縦横方向に延伸するテンタオーブンにおいて、フィルムを加熱する熱風又は温風はテンタオーブン本体からダクトで送風機及びヒータへ送り、ヒータで温度を調整して供給ダクトにより、再び同本体内の熱風吹き付けノズルへ回流する構造は既知の技術に属するものである。
【０００３】
特開平９−１５０４５５号に開示された従来例のフィルム横延伸装置は、装置本体のフィルム走行部の横側部に置かれたラジエータにより所定温度に加熱された熱風を、延伸フィルムの上下に噴射し、噴射した熱風をラジエータで再度加熱して延伸フィルムに噴射する操作を繰り返しながら延伸するとき、延伸フィルムの上側に噴射した熱風をバッフルプレートでラジエータの下方部分へ導いて加熱し、延伸フィルムの下側に噴射した熱風をバッフルプレートでラジエータの上方部分へ導いて加熱し延伸するようにして、延伸フィルムの上下の温度のバラツキを小さくし、延伸フィルムの厚みの精度を良くしようとするものである。
【０００４】
また、特開平５−２５３４３４号に開示された従来例のプラスチック加熱装置は、循環熱風の一部を分岐し、分岐熱風を冷却して熱風中のガス状不純物を液滴化し、液滴化した不純物を回収、除去するとともに、不純物が分離、除去された熱風を正規の循環経路に戻すプラスチック加熱装置の不純物除去方法および装置であり、燃焼によることなく、循環熱風中の不純物を効率よく除去することを目的としている。
【０００５】
【発明が解決しようとする課題】
従来のテンタオーブン本体の断面図である図７に示すように、テンタオーブン本体の加熱セクション３１の内部には、熱風ノズル及びこの熱風ノズルに熱風を供給するプレナムダクト３、４、フィルム１７を横方向に延伸しながら送るフィルムクリップと同クリップの走行用レール等が設置されているので、断面積、容積は大きく、従来のオーブン本体内の熱風の流れは、Ｄ及びＥで示すように、吸込みダクト１１に直ぐに吸い込まれるものと、しばらく停滞した後吸い込まれるものとがあり、停滞した空気の温度が下がり、気化していた潤滑油やオリゴマーが凝縮して液滴化し、テンタオーブンの壁や天井に付着堆積してフィルム上に滴下し、オーブンの壁を汚し、或いは停滞中に変質して回流する熱風に混じってフィルムの表面を汚染する不具合が起こる。
【０００６】
従来例のラジエータをフィルム走行部の横側部に置いたフィルム延伸装置においても、戻り側の熱風は一旦装置本体の広い室内に開放された後、バッフルプレートによりラジエータに導くようにしているので、熱風の流れが停滞する部分があり、温度のバラツキと、凝縮した潤滑油やオリゴマーが装置の内壁に付着堆積することは避けられない。
【０００７】
本発明は、フィルム加熱後の熱風中の潤滑油やオリゴマーを本体外部に除去して、それらが凝縮し本体の天井から滴下したり、内壁に付着堆積することを抑えたテンタオーブンを提供することを目的とする。
【０００８】
【課題を解決するための手段】
上記の問題に対し本発明は、（１）連続して送られるシート状フィルムに熱風を吹付けてフィルムを加熱軟化し、横方向及び／又は縦方向に延伸する加熱セクションを含むテンタオーブンにおいて、前記加熱セクションの本体内部に、ヒータで加熱された熱風を吹き出す隙間を有する複数のプレナムダクトを配し、また該プレナムダクトの隙間から吹き出され、フィルムを加熱した後の熱風を吸い込む吸込み口を加熱セクションの本体に具え、前記吸込み口には、前記フィルムを加熱した後の熱風を前記ヒータへ回流する吸込みダクトが接続され、前記吸込みダクトには、該吸込みダクトから分岐し、再度同吸込みダクトに合流する分岐ダクトが接続され、前記分岐ダクトには、熱風中の揮発成分を除去する冷却用熱交換器を介挿し、前記吸込みダクト及び／又は分岐ダクトには、吸込みダクトから分岐ダクトに分岐する熱風の流量を調整する分岐流量調整装置を設けたことを特徴とするテンタオーブン。
【０００９】
（２）上記（１）に記載のテンタオーブンにおいて、分岐流量調整装置は、分岐ダクトと、吸込みダクトの前記分岐ダクトが分岐した部分より下流にそれぞれ設けられたダンパであることを特徴とするテンタオーブン。
【００１０】
（３）上記（１）に記載のテンタオーブンにおいて、冷却用熱交換器は、テンタオーブンの据付床面又はその近傍に設置して、前記冷却用熱交換器の取り外し、取替え、洗浄を容易としたことを特徴とするテンタオーブン。
【００１１】
（４）上記（１）に記載のテンタオーブンにおいて、冷却用熱交換器は、熱風が通過する細長い隙間を有する複数の中空板を具え、その複数の中空板の間を該熱風の流れ方向と直角方向に冷却空気を流して熱風を冷却し、凝縮した揮発成分の液滴を集める液溜めを該冷却用熱交換器本体の底部に有することを特徴とするテンタオーブン。
【００１２】
（５）上記（１）に記載のテンタオーブンにおいて、加熱セクション本体内に、前記プレナムダクトが配される側の空間と、前記吸込み口側の空間とを仕切る多孔整流板を設けたことを特徴とするテンタオーブン、
のそれぞれを課題解決の手段とする。
【００１３】
【発明の実施の形態】
本発明の実施の形態であるテンタオーブンの加熱セクションについて構成と作用を図に基づいて説明する。図１はテンタオーブンの加熱セクションを示す側面断面図、図２は図１のＡ−Ａ断面を示す平面図、図３は図１のＢ−Ｂ断面を示す平面図、図４は図１のＣ−Ｃ断面を示す側面図、図５は図１の整流板の多孔部を示す側面図、図６は図１の揮発成分除去装置の熱交換器部を示す斜視図である。
【００１４】
図１において、２は二重の壁の間に断熱材を挟んだ断熱性に優れた本体である。本体２の中央で水平に広げられたフィルム１７が両縁を水平に走るクリップチエン１８にクリップされ、フィルム幅を広げながら送られる。
【００１５】
本体内の空気は吸込ダクト１１、合流ダクト１２からヒータ８を通って加熱され、送風機１０により加圧して送られ、メインダクト７から上下に別れて分流ダクト５、６を通り、分流ダクト５、６から多数のプレナムダクト３、４に分けられ、プレナムダクト３、４の細い隙間から加圧された熱風をフィルム１７の上下面に吹き出して加熱した後、熱風は吸込口１１ａ、１１ｂから吸込ダクト１１へ、次いで、合流ダクト１２に入る。一方、回流する吸込ダクト１１を通る熱風の一部は、分岐ダクト２５に分岐して下方に導かれ、分岐ダクト２５に設置されている揮発成分除去装置２４を通って冷却され、揮発成分が凝縮し、除去された後、上方に導かれ分岐した元の熱風に合流して合流ダクト１２に入り、ヒータ８と送風機１０へ回流する。分岐ダクト２５が分岐した後の吸い込みダクト１１と、分岐ダクト２５にはそれぞれ、空気通路面積を調整するダンパ２７、２８が設置され、分岐ダクト２５に分岐する空気量を調整するようになっている。１９は仕切り壁を示す。尚、ダンパ２７、２８は、そのいずれか一方だけでも、分岐ダクト２５に分岐する空気量を調整することができる。
【００１６】
図６の斜視図で示すように、揮発成分除去装置２４は空冷式の熱交換器であり、細長い隙間を有し、中空の冷却板２４ａを多数並べてフランジ板２４ｂ、２４ｃに気密に取付け、回流する熱風を中空の冷却板２４ａの隙間に通し、送風機２６から送られる冷却空気を熱風の流れ方向Ｈと直角方向（図６の矢印Ｓ方向）へ流して冷却する構成の熱交換器である。図示しないが、凝縮した液滴は下方に設置された液溜めに集めるようになっている。分岐ダクト２５には、フランジ板２４ｂ、２４ｃを介して取り付け、取り外すことができ、分岐ダクト２５から取り外して揮発成分除去装置２４を点検、洗浄できるようになっている。
【００１７】
プレナムダクト３、４を通る熱風の温度は、図示略の温度検出センサで検出され、図示略の制御装置においてフィルム１７の延伸指定温度になるようにヒータ８の加熱量が制御される。熱風が吸込口１１ａ、１１ｂから吸込ダクト１１に吸い込まれる前に、本体内に設けられた整流板１５、１６（図５に示すように多数のパンチ孔１５ａ、１６ａが明けられている）を通過する。この整流板１５、１６における開口率は約３０％とし、熱風は、整流板１５、１６を通過する前後の圧力差で、全面のパンチ孔１５ａ、１６ａから均等に吸込口１１ａ、１１ｂ側に流れ込み、本体２の室内に熱風の一部が停滞する事なく吸込ダクト１１の吸込口１１ａ、１１ｂに流入させることができる。
【００１８】
もし、図７に示したように、本体２内に整流板１５、１６が無い場合には、熱風は吸込ダクト１１の吸込口１１ａ、１１ｂに向かってできるだけ短い経路を通るので、Ｄ、Ｅで示した隅の部分には熱風が停滞する。このような熱風の停滞する部分は本体２の壁に近いため温度が低下し、フィルム１７から蒸発したオリゴマーのガスや、クリップチエン１８の走行部の潤滑油から気化した石油系ガスが凝縮して本体２の内側の壁に付着して汚し、或いは停滞中に変質して回流する熱風に混じって一部分はフィルタ９を通過してプレナムダクト３、４に達して、フィルム１７の表面を汚染する可能性がある。
【００１９】
整流板１５、１６があれば、熱風は本体２の室内に停滞する事が無いので、オリゴマーのガスや潤滑油から気化した石油系ガスが凝縮することなく、また、前述のように、熱風の一部は、分岐ダクト２５に分岐し、分岐ダクト２５に設置されている揮発成分除去装置２４を通って揮発成分が凝縮し、除去されるので、フィルム１７を加熱中に発生したオリゴマー等のガスの濃度を抑えることができる。
【００２０】
なお、フィルム表面に液体をコーティングしたことにより、濡れたフィルム１７を乾燥する必要がある場合にも、上記のテンタオーブンの加熱セクション１における本体２の構成を、そのまま乾燥装置の乾燥セクションとしても使用することができる。
【００２１】
この乾燥処理の場合、ヒータ８によって加熱されて乾燥した温風は送風機１０によって送られ、メインダクト７、分流ダクト５、６を経て多数のプレナムダクト３、４の細い隙間からフィルム１７の上下面に吹き出してフィルム１７を乾燥し、湿った温風は吸込ダクト１１に集められ、吸込ダクト１１を通る熱風の大部分を分岐ダクト２５に分岐して下方に導かれ、分岐ダクト２５の中間に設置されている揮発成分除去装置２４を通って冷却され、湿った空気の水蒸気を凝縮し、除去された後、上方に導かれ元の温風に合流して合流ダクト１２に入り、ヒータ８と送風機１０へ回流する。
【００２２】
プレナムダクト３、４を通る温風の温度は、図示略の温度検出センサで検出され、図示略の制御装置においてヒータ８の加熱量を制御してプレナムダクト３、４を通る温風の温度が乾燥指定温度になるようにする。
【００２３】
テンタオーブンの加熱セクション１と同様に、セクション内の温風は本体２内に設けられた多数のパンチ孔１５ａ、１６ａが明けられた整流板１５、１６を通過し、温風は整流板１５、１６を通過する前後で生じる圧力差で全面積のパンチ孔１５ａ、１６ａから均等の速度で吸込ダクト１１の吸込口１１ａ、１１ｂ側の室に流れ込み、本体２の室内に温風の一部が停滞する事なく吸込ダクト１１に流入させることができる。
【００２４】
整流板１５、１６があれば、温風は本体２の室内に停滞する事が無いので、温風に含まれた水蒸気が本体２内の壁や天井に凝縮することなく、本体２の内壁を濡らしたり汚したりすることが無くなる。
【００２５】
【発明の効果】
本発明のテンタオーブンは、その加熱セクション本体の吸込み口に吸込みダクトを接続し、その吸込みダクトに接続した分岐ダクトに熱風を導き、熱風中のオリゴマーのガスや潤滑油から蒸発した石油系ガス等の揮発成分を冷却用熱交換器で凝縮除去することができ、かかる揮発成分が加熱セクション本体の天井部分に凝縮し、それが滴下してフィルムの表面を汚染する可能性を無くすることができる（請求項１）。
【００２６】
また、分岐ダクトと吸込みダクトのそれぞれにダンパを設けたものは、加熱セクションからの熱風全量を分岐ダクトに導き冷却用熱交換器で揮発成分の凝縮除去を行う運転、冷却用熱交換器を通すことなく、全量を吸込みダクトから直接ヒータに回流させる運転、或いは、分岐ダクトに分岐する熱風流量を所定の割合に調整し、その所定の熱風流量について揮発成分の凝縮除去を行う運転のいずれもが可能であり、それらを選択し、加熱セクション本体内の揮発成分濃度を考慮した効率的なテンタオーブンの運用が可能となる（請求項２）。
【００２７】
冷却用熱交換器を、テンタオーブンの据付床面又はその近傍に設置したものは、冷却用熱交換器の取り外し、取替え、洗浄を容易に行うことができる（請求項３）。
【００２８】
また、冷却用熱交換器を空冷とし、凝縮した揮発成分の液滴を冷却用熱交換器の底部に配した液溜めに集めるようにしたものは、熱交換器の取扱い、取外し、取換え、洗浄が一層容易となる（請求項４）。
【００２９】
テンタオーブンの加熱セクション本体内に、プレナムダクト側の空間と吸込み口側の空間とを仕切る多孔整流板を設けたものは、フィルム加熱後の熱風はプレナムダクト側空間から多孔仕切板により整流され吸込み口側空間に移行する結果、プレナム側空間の隅部に熱風が澱んで同空間内に停滞することが無くなり、プレナム側空間内を送られるフィルムが空間中に淀んだ熱風中の揮発成分で汚染される可能性を無くすることができる（請求項５）。
【００３０】
なお、上記の揮発成分除去用冷却用熱交換器を回流温風中の水蒸気除去装置として使用することにより、同じ本体の構成を温風乾燥機としても使用することができる。
【図面の簡単な説明】
【図１】本発明の第１の実施形態に係るテンタオーブンの加熱セクションを示す側面断面図である。
【図２】図１のＡ−Ａ断面を示す平面図である。
【図３】図１のＢ−Ｂ断面を示す平面図である。
【図４】図１のＣ−Ｃ断面を示す側面図である。
【図５】図１の整流板の多孔部の一部を示す側面図である。
【図６】図１の揮発成分除去装置の熱交換器部を示す斜視図である。
【図７】従来のテンタオーブンの加熱セクションの側面断面図である。
【符号の説明】
１    加熱セクション
２    本体
３、４    プレナムダクト
７    メインダクト
８    ヒータ
１０    送風機
１１    吸込ダクト
１２    合流ダクト
１５、１６    整流板
１７    フィルム
２４    揮発成分除去装置
２５    分岐ダクト
２７、２８    ダンパ
【図１】
0004689886.tif 000002
【図２】
0004689886.tif 000003
【図３】
0004689886.tif 000004
【図４】
0004689886.tif 000005
【図５】
0004689886.tif 000006
【図６】
0004689886.tif 000007
【図７】
0004689886.tif 000008